(57)【要約】【課題】利便性を向上できる冷蔵庫を提供する。【解決手段】貯蔵室２内の載置部６ａに載置されるとともに収納位置と引き出し位置との間を移動して出し入れ自在の収納ケース２０と、収納ケース２０の出し入れに応じて収納ケース２０の前面を開閉する容器蓋３０とを備えた冷蔵庫１において、収納ケース２０に前方が下がる傾斜部２１を設けるとともに、容器蓋３０は傾斜部２１と摺動する第１摺動部３１を有し、引き出された収納ケース２０を所定位置まで押入した際に、容器蓋３０の自重により第１摺動部３１が傾斜部２１と摺動して収納ケース２０を収納位置まで後退させるようにした。【選択図】図８
2010071486.tif 000002
【特許請求の範囲】
【請求項１】
貯蔵室内の載置部に載置されるとともに収納位置と引き出し位置との間を移動して出し入れ自在の収納ケースと、前記収納ケースの出し入れに応じて前記収納ケースの前面を開閉する容器蓋とを備えた冷蔵庫において、前記収納ケースに前方が下がる傾斜部を設けるとともに、前記容器蓋は前記傾斜部と摺動する第１摺動部を有し、引き出された前記収納ケースを所定位置まで押入した際に、前記容器蓋の自重により第１摺動部が前記傾斜部と摺動して前記収納ケースを前記収納位置まで後退させることを特徴とする冷蔵庫。
【請求項２】
前記載置部と前記収納ケースとを点接触または線接触にしたことを特徴とする請求項１に記載の冷蔵庫。
【請求項３】
前記載置部は前記貯蔵室の水平壁上に突設された前後に延びるガイドレールを有し、前記収納ケースの底面に設けられて前記ガイドレールに嵌合する溝部と、前記溝部内に垂下して前記ガイドレールの上面と摺動するガイドリブとを備えたことを特徴とする請求項２に記載の冷蔵庫。
【請求項４】
前記所定位置で前記載置部の前部は後方が下がるように傾斜することを特徴とする請求項１〜請求項３のいずれかに記載の冷蔵庫。
【請求項５】
前記傾斜部と第１摺動部とを点接触または線接触にしたことを特徴とする請求項１〜請求項４のいずれかに記載の冷蔵庫。
【請求項６】
閉じた状態の前記容器蓋の下部に第１摺動部が配されるとともに、前記容器蓋の上部に配される第２摺動部と、第２摺動部を摺動により前後に案内するガイド部とを設け、前記ガイド部と第２摺動部とを点接触または線接触にしたことを特徴とする請求項１〜請求項５のいずれかに記載の冷蔵庫。
【請求項７】
前記傾斜部の側面断面を上に凸の曲線にしたことを特徴とする請求項１〜請求項６のいずれかに記載の冷蔵庫。
【発明の詳細な説明】
【技術分野】
【０００１】
本発明は、貯蔵室内に出し入れ自在に設けられる収納ケースを有した冷蔵庫に関する。
【背景技術】
【０００２】
従来の冷蔵庫は特許文献１に開示されている。この冷蔵庫は貯蔵室内に収納位置と引き出し位置との間を移動して出し入れ自在の収納ケースが配される。収納ケースの前面は上端で枢支される容器蓋により閉じられる。収納ケースを引き出すと容器蓋の下部が収納ケースの前部との係合により前方に回動して開かれる。これにより、収納ケース内の貯蔵物を容易に取り出すことができる。また、容器蓋によって収納ケース内を貯蔵室内で隔離して収納ケース外と異なる温度に維持し、貯蔵物に応じた温度で冷却保存を行うことができる。
【０００３】
【特許文献１】実開昭６２−５５０８４号公報（第１図）
【発明の開示】
【発明が解決しようとする課題】
【０００４】
しかしながら、上記従来の冷蔵庫によると、収納ケースが収納位置まで押入されずに貯蔵室の前面の扉が閉じられると、収納ケースや容器蓋が扉と衝突して破損する場合がある。また、収納ケースを引き出した状態で貯蔵室の扉が閉じられると、回動する扉が収納ケースの前面に衝突して収納ケースが斜め後方に押圧される。これにより、収納ケースの向きが斜めになり、収納ケースが貯蔵室側に設けた摺動部と噛み合って後退しない場合がある。これにより、収納ケースや容器蓋の破損が大きくなるとともに扉が閉じられない。このため、使用者は後端の収納位置まで収納ケースを確実に押入する必要があり、冷蔵庫の利便性が悪い問題があった。
【０００５】
本発明は、利便性を向上できる冷蔵庫を提供することを目的とする。
【課題を解決するための手段】
【０００６】
上記目的を達成するために本発明は、貯蔵室内の載置部に載置されるとともに収納位置と引き出し位置との間を移動して出し入れ自在の収納ケースと、前記収納ケースの出し入れに応じて前記収納ケースの前面を開閉する容器蓋とを備えた冷蔵庫において、前記収納ケースに前方が下がる傾斜部を設けるとともに、前記容器蓋は前記傾斜部と摺動する第１摺動部を有し、引き出された前記収納ケースを所定位置まで押入した際に、前記容器蓋の自重により第１摺動部が前記傾斜部と摺動して前記収納ケースを前記収納位置まで後退させることを特徴としている。
【０００７】
この構成によると、貯蔵室の載置部に載置される収納ケースが載置部と摺動して前後に出し入れされる。収納ケースの前面は容器蓋により塞がれ、収納ケースを引き出すと容器蓋の第１摺動部が収納ケースに形成される傾斜部と摺動して容器蓋が開かれる。収納ケースを押入すると、第１摺動部が傾斜部と摺動して容器蓋が閉じる方向に移動する。収納ケースが所定位置まで押入されると、収納ケースが容器蓋の自重により後方へ押圧されて収納位置まで後退する。
【０００８】
また本発明は、上記構成の冷蔵庫において、前記載置部と前記収納ケースとを点接触または線接触にしたことを特徴としている。この構成によると、載置部及び収納ケースの少なくとも一方は球状や線状に形成され、点接触または線接触によるすべり接触によって互いに摺動する。また、載置部及び収納ケースの少なくとも一方はローラー等が設けられて点接触または線接触によるころがり接触によって互いに摺動する。
【０００９】
また本発明は、上記構成の冷蔵庫において、前記載置部は前記貯蔵室の水平壁上に突設された前後に延びるガイドレールを有し、前記収納ケースの底面に設けられて前記ガイドレールに嵌合する溝部と、前記溝部内に垂下して前記ガイドレールの上面と摺動するガイドリブとを備えたことを特徴としている。
【００１０】
この構成によると、貯蔵室の底面等に前後に延びるガイドレールを突設して載置部の一部が形成される。収納ケースの底面には溝部が形成されてガイドレールに嵌合する。これにより、収納ケースの左右方向の移動が規制される。溝部内には例えば前後に延びる線状のガイドリブが垂下して形成され、ガイドリブがガイドレールの上面に接して収納ケースがガイドレール上に載置される。収納ケースはガイドリブがガイドレールの上面と摺動して前後に出し入れされる。
【００１１】
また本発明は、上記構成の冷蔵庫において、前記所定位置で前記載置部の前部は後方が下がるように傾斜することを特徴としている。この構成によると、収納ケースを所定位置まで押入すると、収納ケースの前端が載置部の前部の傾斜部分と摺動し、収納ケースが自重によって後退する。
【００１２】
また本発明は、上記構成の冷蔵庫において、前記傾斜部と第１摺動部とを点接触または線接触にしたことを特徴としている。この構成によると、例えば、傾斜部が傾斜したレール状に形成され、第１摺動部が容器蓋の側面に突設される円筒体から成る。これにより、レール状の傾斜部に円筒体の第１摺動部が載せられて傾斜部と第１摺動部とが線接触する。第１摺動部を球体により形成して点接触させてもよく、第１摺動部をローラーにより形成してもよい。
【００１３】
また本発明は、上記構成の冷蔵庫において、閉じた状態の前記容器蓋の下部に第１摺動部が配されるとともに、前記容器蓋の上部に配される第２摺動部と、第２摺動部を摺動により前後に案内するガイド部とを設け、前記ガイド部と第２摺動部とを点接触または線接触にしたことを特徴としている。
【００１４】
この構成によると、閉じられた容器蓋の下部の第１摺動部が収納ケースと摺動して上部の第２摺動部が貯蔵室に設けたガイド部と摺動する。収納ケースを引き出すと容器蓋は下部が上昇するとともに上部が後退して開かれる。収納ケースが収納されると容器蓋は上部が前進するとともに下部が下降して閉じられる。例えば、ガイド部は前後に延びるレール状に形成され、第２摺動部が容器蓋の側面に突設される円筒体から成る。これにより、レール状のガイド部に円筒体の第２摺動部が載せられてガイド部と第２摺動部とが線接触する。第２摺動部を球体により形成して点接触させてもよく、第２摺動部をローラーにより形成してもよい。
【００１５】
また本発明は、上記構成の冷蔵庫において、前記傾斜部の側面断面を上に凸の曲線にしたことを特徴としている。この構成によると、収納ケースを引き出した状態で第１摺動部は傾斜の緩い傾斜部と接触し、収納ケースが後退していくと第１摺動部が接する傾斜部の傾斜が急になる。
【発明の効果】
【００１６】
本発明によると、収納ケースを所定位置まで押入した際に、容器蓋の自重により容器蓋の第１摺動部が収納ケースの傾斜部と摺動して収納ケースを収納位置まで後退させるので、使用者は収納ケースを収納位置まで押入する必要がなく、冷蔵庫の利便性が向上する。また、収納ケースを引き出した状態で貯蔵室の扉を閉じた際に扉の押圧によって所定位置まで収納ケースが後退すると収納ケースが容器蓋の自重によって収納位置まで後退する。従って、収納ケース及び容器蓋の破損や扉が閉じられない不具合を防止することができる。
【発明を実施するための最良の形態】
【００１７】
以下に本発明の実施形態を図面を参照して説明する。図１は一実施形態の冷蔵庫を示す正面図である。冷蔵庫１は上部に冷蔵室２を有し、冷蔵室２の下方に冷凍室３が配される。冷凍室３の下方には野菜室４が配される。冷蔵室２、冷凍室３及び野菜室４はそれぞれ扉２ａ、３ａ、４ａにより開閉される。冷蔵室２の扉２ａの前面には操作パネル５が設けられ、各貯蔵室の温度設定を行うことができる。
【００１８】
図２、図３は冷蔵室２の正面図及び側面断面図を示している。冷蔵室２内には貯蔵物を載置する複数の載置棚１３が設けられる。扉２ａの内面には複数のドアポケット１６が設けられる。冷蔵室２の下部にはワイン室６及び水タンク室７が左右に並設される。ワイン室６及び水タンク室７の上面は断熱材が充填される断熱パネル１４により上部と仕切られる。ワイン室６と水タンク室７との間は断熱材が充填される断熱パネル１５により仕切られる。
【００１９】
水タンク室７は着脱自在の製氷用の水タンク７ａが配される。ワイン室６にはワインを収納する収納ケース２０が配される。収納ケース２０は上面及び前面上部が開放される。収納ケース２０の前面下部には把手部２０ｃが設けられ、把手部２０ｃを把持して収納ケース２０を前後に出し入れできるようになっている。収納ケース２０の前面上部は回動する容器蓋３０によって塞がれる。収納ケース２０の下部及び容器蓋３０によってワイン室６は前面が塞がれた隔離室になっている。
【００２０】
ワイン室６は冷蔵温度（０℃〜１０℃）よりも高温のワインの貯蔵に適した温度（例えば、１５℃）に維持される。このため、断熱パネル１４、１５により上方及び側方への熱漏れが防止される。また、容器蓋３０は前後に配される透明な前面板３０ａと背面板３０ｂの間に空気を封入して形成され、空気断熱によって前方への熱漏れが防止されている。
【００２１】
ワイン室６の右側には前面に開口部８ａを有する戻りダクト８が設けられる。戻りダクト８の開口部８ａは冷蔵室２の前部に配置され、下部のドアポケット１６付近に冷気が行き届くようになっている。これにより、ドアポケット１６内の貯蔵物が高温のワイン室６によって冷却不足になることを防止できる。
【００２２】
図４は冷蔵室２の上面断面図を示している。水タンク室７の後部には水タンク７ａ（図２参照）に連結して製氷皿（不図示）に給水する給水ポンプ７ｂが配される。戻りダクト８の後端には冷気を冷却器（不図示）に戻す戻り通路（不図示）に臨む戻り口８ｂが形成される。冷蔵室２内の冷気は開口部８ａを介して戻りダクト８に流入し、戻り口８ｂを介して戻り通路を流通して冷却器に戻る。
【００２３】
図５は冷蔵室２の正面断面図を示している。ワイン室６の室内外に連続する底壁６ａ（水平壁）には前後に延びるガイドレール９が左右の２箇所に突設される。収納ケース２０の底部にはワインのボトルを載置する複数の凹部２０ａが前後に傾斜して形成され、収納ケース２０の後部にはボトルの注ぎ口を載置する凹部２０ｂが形成される。収納ケース２０の側壁には前方が下がる傾斜面に形成されたレール状の傾斜部２１が突設される。
【００２４】
収納ケース２０には底面に突設されたリブ２２ａ、２２ｂにより溝部２２が形成される。溝部２２はガイドレール９に嵌合し、収納ケース２０の左右の移動を規制して収納ケース２０を前後に案内する。溝部２２内には上面から垂下されるガイドリブ２３が形成される。ガイドリブ２３は前後に延びる線状に形成され、ガイドレール９の上面に設置される。
【００２５】
これにより、ガイドリブ２３がガイドレール９に線接触して収納ケース２０がガイドレール９上に載置される。ガイドリブ２３またはガイドレール９を前後に並ぶ複数の半球状の突起により形成してもよい。これにより、ガイドリブ２３がガイドレール９に点接触する。また、ガイドレール９上を転がるローラーを収納ケース２０に設けてもよい。
【００２６】
図６はワイン室６の側面断面図を示している。ワイン室６の上部の両側壁には前後に延びた溝から成るガイド部１１が凹設される。ガイド部１１の下方には円弧部分を有した曲線状の溝から成るガイド部１７が凹設される。収納ケース２０に設けられる傾斜部２１の上面は側面断面が上に凸の曲線に形成され、後端が略水平で前端が水平に対して約４５゜の傾斜角になっている。
【００２７】
容器蓋３０には第１、第２、第３摺動部３１、３２、３３が設けられる。容器蓋３０の背面板３０ｂには下部の左右端から後方に延びる支持板３０ｃが一体に設けられる。第１摺動部３１は支持板３０ｃの下端から内側に向かって突設される円筒状のボスから成る。第２摺動部３２は容器蓋３０の上部側面から外側に向かって突設される円筒状のボスから成る。第３摺動部３３は支持板３０ｃの上部から内側に向かって突設される円筒状のボスから成る。
【００２８】
第１摺動部３１は収納ケース２０の傾斜部２１上に載せられる。第２、第３摺動部３２、３３はワイン室６の側壁に設けたガイド部１１、１７にそれぞれ嵌合する。これにより、第１、第２、第３摺動部３１、３２、３３はそれぞれ傾斜部２１及びガイド部１１、１７と線接触する。第１、第２、第３摺動部３１、３２、３３はそれぞれ例えば半球状に形成して傾斜部２１やガイド部１１、１７と点接触させてもよい。また、第１、第２、第３摺動部３１、３２、３３を回転自在のローラーにより形成してもよい。
【００２９】
また、容器蓋３０、傾斜部２１及びガイド部１１、１７はカム機構を構成する。これにより、収納ケース２０の出し入れに伴って第１、第２、第３摺動部３１、３２、３３が傾斜部２１及びガイド部１１、１７と摺動して容器蓋３０が開閉される。尚、第３摺動部及びガイド部１７を省いてもよいが、これらを設けることによって容器蓋３０を回動により断熱パネル１４の下方に移動させることができる。
【００３０】
ワイン室６の底壁６ａには、収納された収納ケース２０の前部及び後部の下方にストッパ１２ａ、１２ｂが突設される。収納ケース２０の後部には突起部２４が突設される。前後に移動する収納ケース２０は突起部２４がストッパ１２ａ、１２ｂに当接することにより、引き出し位置及び収納位置に位置決めされる。
【００３１】
ワイン室６の底壁６ａはストッパ１２ａからワイン室６の前方に延びる凹部６ｂを有している。凹部６ｂの前方には水平面から成る平面部６ｃが形成される。凹部６ｂの前部には平面部６ｃに連続して後方が下がる傾斜面６ｄが形成される。傾斜面６ｄの前端は閉じられた扉２ａにより覆われる位置になっている。
【００３２】
収納ケース２０をワイン室６から前方に引き出すとガイドリブ２３がガイドレール９と摺動する。この時、容器蓋３０の第１摺動部３１は収納ケース２０の傾斜部２１に沿って上昇し、第２、第３摺動部３２、３３はガイド部１１、１７に沿って移動する。これにより、容器蓋３０は上部が後退しながら開き、断熱パネル１４の下方に配される。
【００３３】
ガイドレール９の前端よりも前方の収納ケース２０の重量が後方の収納ケース２０の重量よりも大きくなると収納ケース２０の前部が下方に傾斜する。これにより、収納ケース２０はリブ２２ａ、２２ｂ（図５参照）の前端が凹部６ｂに摺動してガイドリブ２３がガイドレール９の前端に摺動する。
【００３４】
更に収納ケース２０を引き出すとリブ２２ａ、２２ｂの前端が傾斜面６ｄを乗り上げ、リブ２２ａ、２２ｂが平面部６ｃ上に配される。これにより、収納ケース２０は略水平状態になり、リブ２２ａ、２２ｂが平面部６ｃに摺動してガイドリブ２３がガイドレール９に摺動する。
【００３５】
そして、図７に示すように、突起部２４がストッパ１２ａに当接し、収納ケース２０が引き出し位置に配される。これにより、収納ケース２０内の貯蔵物を出し入れできる。従って、ガイドレール９、凹部６ｂ及び平面部６ｃは収納ケース２０を載置して収納ケース２０と摺動する載置部を構成する。この時、容器蓋３０は断熱パネル１４の下方に略平行に配され、ワイン室６の前面開口部よりも後方に配される。これにより、引き出し位置で容器蓋３０が貯蔵物の出し入れの邪魔となることを防止する。
【００３６】
収納ケース２０を収納する際には引き出し位置の収納ケース２０が使用者により押入される。図８に示すように、リブ２２ａ、２２ｂの前端が傾斜面６ｄの前端まで後退した位置に収納ケース２０が配されると、リブ２２ａ、２２ｂは傾斜面６ｄを滑落する。この時、収納ケース２０のリブ２２ａ、２２ｂには傾斜面６ｄに垂直な抗力Ｎ１が加わる。また、収納ケース２０の傾斜部２１には容器蓋３０の自重に基づく抗力Ｎ２が第１摺動部３１から加わる。このため、抗力Ｎ１、Ｎ２の水平方向の分力により収納ケース２０が後退する。
【００３７】
リブ２２ａ、２２ｂの前端が傾斜面６ｄよりも後方に配されると抗力Ｎ１が消失するため抗力Ｎ２の水平方向の分力により収納ケース２０が後退する。この時、傾斜部２１は傾斜角度が大きくなっているため抗力Ｎ２の水平方向の分力が大きくなる。また、第１、第２、第３摺動部３１、３２、３３が傾斜部２１、ガイド部１１、１７と線接触し、ガイドリブ２３がガイドレール９と線接触するためこれらの間の摩擦力が小さい。これにより、収納ケース２０は容器蓋３０の自重によって後退し、図６に示す収納位置に配される。
【００３８】
尚、前述の図７に示す引き出し位置では傾斜部２１が略水平となるため第１摺動部３１から受ける抗力Ｎ２が略鉛直となる。このため、容器蓋３０の自重による後方への分力が小さく、収納ケース２０の後退が防止される。従って、引き出し位置で貯蔵物の出し入れを容易に行うことができる。
【００３９】
また、収納ケース２０を引き出し位置に配した状態で扉２ａを閉じた際に、ドアポケット１６に当接する収納ケース２０が後退する。この時、図８に示す位置まで収納ケース２０が後退すると容器蓋３０の自重によって収納ケース２０が収納位置に配される。このため、扉２ａが収納ケース２０を押し続けて収納ケース２０が冷蔵室２側の摺動部分と噛み合うことによる大きな破損の発生や扉２ａが開いたままになることを防止できる。
【００４０】
本実施形態によると、収納ケース２０を所定位置まで押入した際に、容器蓋３０の自重により容器蓋３０の第１摺動部３１が収納ケース２０の傾斜部２１と摺動して収納ケース２０を収納位置まで後退させるので、使用者は収納ケース２０を収納位置まで押入する必要がなく、冷蔵庫１の利便性が向上する。また、収納ケース２０を引き出した状態で冷蔵室２の扉２ａを閉じた際に扉２ａの押圧によって所定位置まで収納ケース２０が後退すると収納ケース２０が容器蓋３０の自重により収納位置まで後退する。従って、収納ケース２０及び容器蓋３０の破損や扉２ａが閉じられない不具合を防止することができる。
【００４１】
また、ガイドレール９（載置部）と収納ケース２０のガイドリブ２３とを線接触にしたので、両者の摩擦力が小さくなり、容器蓋３０の自重によって容易に収納ケース２０を収納位置まで後退させることができる。尚、ガイドレール９と収納ケース２０とを点接触にしてもよい。また、ガイドレール９と収納ケース２０とをすべり接触により摺動させるだけでなく、球状（点接触）または円筒状（線接触）のローラーを設けた転がり接触により摺動させてもよい。
【００４２】
また、ガイドレール９、溝部２２、ガイドリブ２３により、収納ケース２０の載置部と収納ケース２０とを線接触により前後に摺動させる構成を容易に実現することができる。
【００４３】
また、ガイドレール９、凹部６ｂ及び平面部６ｃから成る収納ケース２０の載置部の前部が傾斜面６ｄによって後方が下がるように傾斜するので、収納ケース２０が自重によって後方に加速し、収納ケース２０を収納位置まで容易に後退させることができる。
【００４４】
また、傾斜部２１と第１摺動部３１とを線接触にしたので、収納ケース２０と容器蓋３０の摩擦力を低減することができる。従って、より簡単に収納ケース２０を収納位置まで後退させることができる。尚、傾斜部２１と第１摺動部３１とを点接触にしてもよい。また、傾斜部２１と第１摺動部３１をすべり接触により摺動させるだけでなく、第１摺動部３１をローラーにより形成して転がり接触により摺動させてもよい。
【００４５】
同様に、ガイド部１１、１７と第２、第３摺動部３２、３３とを線接触にしたので、ガイド部１１、１７と容器蓋３０の摩擦力を低減することができる。従って、より簡単に収納ケース２０を収納位置まで後退させることができる。尚、ガイド部１１、１７と第２、第３摺動部３２、３３とを点接触にしてもよい。また、ガイド部１１、１７と第２、第３摺動部３２、３３をすべり接触により摺動させるだけでなく、第２、第３摺動部３２、３３をローラーより形成して転がり接触により摺動させてもよい。
【００４６】
また、容器蓋３０はガイド部１１、１７及び傾斜部２１とともにカム機構を構成して開いた際に断熱パネル１４の下方に配される。このため、収納ケース２０を引き出した状態で扉２ａを閉じても容器蓋３０とドアポケット１６との干渉を防止できる。従って、容器蓋３０の破損をより確実に防止することができる。
【００４７】
また、傾斜部２１の側面断面を上に凸の曲線にしたので、収納ケース２０を引き出し位置に配した際に抗力Ｎ２の水平方向の分力が小さくなる。これにより、容器蓋３０の自重によって収納ケース２０が後退せず、貯蔵物を容易に出し入れできる。また、所定位置まで収納ケース３０を押入すると抗力Ｎ２の水平方向の分力が大きくなるため容器蓋３０の自重によって収納ケース２０を後退させることができる。
【００４８】
本実施形態において、ガイドレール９をワイン室６の底部に配してガイドリブ２３を収納ケース２０の底面に突設しているが、他の構成でもよい。例えば、ガイドレール９をワイン室６の側壁に突設してガイドリブ２３を収納ケース２０の側壁に突設し、ガイドレール９上にガイドリブ２３を配して収納ケース２０を載置してもよい。この時、ボール（点接触）やころ（線接触）を有したリニアベアリングを用いて収納ケース２０を前後移動可能に支持してもよい。
【００４９】
また、ガイドレール９の上面を凹部６ｂの底面と同じ高さにしてもよく、ガイドレール９を後方が下がるように傾斜してもよい。
【産業上の利用可能性】
【００５０】
本発明によると、貯蔵室内に出し入れ自在に設けられる収納ケースを有した冷蔵庫に利用することができる。
【図面の簡単な説明】
【００５１】
【図１】本発明の実施形態の冷蔵庫を示す正面図
【図２】本発明の実施形態の冷蔵庫の冷蔵室を示す正面図
【図３】本発明の実施形態の冷蔵庫の冷蔵室を示す側面断面図
【図４】本発明の実施形態の冷蔵庫の冷蔵室を示す上面断面図
【図５】本発明の実施形態の冷蔵庫の冷蔵室を示す正面断面図
【図６】本発明の実施形態の冷蔵庫のワイン室を示す側面断面図
【図７】本発明の実施形態の冷蔵庫の収納ケースを引き出し位置に配した状態を示す側面断面図
【図８】本発明の実施形態の冷蔵庫の収納ケースを所定位置まで押入した状態を示す側面断面図
【符号の説明】
【００５２】
１    冷蔵庫
２    冷蔵室
２ａ、３ａ、４ａ  扉
３    冷凍室
４    野菜室
６    ワイン室
６ａ  底壁
６ｂ  凹部
６ｃ  平面部
６ｄ  傾斜面
７    水タンク室
８    戻りダクト
１１、１７  ガイド部
１２ａ、１２ｂ  ストッパ
１３    載置棚
１４、１５  断熱パネル
１６    ドアポケット
２０    収納ケース
２１    傾斜部
２２    溝部
２２ａ、２２ｂ  リブ
２３    ガイドリブ
２４    突起部
３０    収納蓋
３１    第１摺動部
３２    第２摺動部
３３    第３摺動部
【図１】
2010071486.tif 000003
【図２】
2010071486.tif 000004
【図３】
2010071486.tif 000005
【図４】
2010071486.tif 000006
【図５】
2010071486.tif 000007
【図６】
2010071486.tif 000008
【図７】
2010071486.tif 000009
【図８】
2010071486.tif 000010